(57)【要約】本発明は、高周波熱治療用バイポーラ電極に関し、より詳しくは、外周面に第１及び第２結合溝が所定の間隔で離隔して螺旋状に形成され、内部に冷却管から供給された冷却水が循環される冷却循環路が形成された円筒状胴体と、円筒状胴体の第１結合溝に嵌合されながら複数回巻き付けられて高周波発生器の一側端子に連結されるアクティブ電極体と、円筒状胴体の第２結合溝に嵌合されながら複数回巻き付けられて高周波発生器の他側端子に連結されるパッシブ電極体とを含んでなるものであって、下肢静脈瘤のような血管の病変部位に容易に移動することができ、施術時に病変部位以外の周辺組職の熱損傷の危険を減少させる効果がある。【選択図】図２
2018527055.tif 000002
【特許請求の範囲】
【請求項１】
外周面に第１結合溝（１ａ）及び第２結合溝（１ｂ）が所定の間隔で離隔して螺旋状に形成された円筒状胴体（１）と、
前記円筒状胴体（１）の第１結合溝（１ａ）に嵌合されながら複数回巻き付けられて高周波発生器（５０）の一側端子に連結されるアクティブ電極体（２）と、
前記円筒状胴体（１）の第２結合溝（１ｂ）に嵌合されながら複数回巻き付けられて高周波発生器（５０）の他側端子に連結されるパッシブ電極体（３）と、を含んでなることを特徴とする、高周波熱治療用バイポーラ電極。
【請求項２】
前記第１結合溝（１ａ）及び前記第２結合溝（１ｂ）は、前記円筒状胴体（１）の長手方向に形成されることを特徴とする、請求項１に記載の高周波熱治療用バイポーラ電極。
【請求項３】
外周面に第１結合溝（１ａ）及び第２結合溝（１ｂ）が所定の間隔で離隔して螺旋状に形成され、内部に冷却管（４０）から供給された冷却水が循環される冷却循環路（１ｃ）が形成された円筒状胴体（１）と、
前記円筒状胴体（１）の第１結合溝（１ａ）に嵌合されながら複数回巻き付けられて高周波発生器（５０）の一側端子に連結されるアクティブ電極体（２）と、
前記円筒状胴体（１）の第２結合溝（１ｂ）に嵌合されながら複数回巻き付けられて高周波発生器（５０）の他側端子に連結されるパッシブ電極体（３）と、を含んでなることを特徴とする、高周波熱治療用バイポーラ電極。
【請求項４】
前記第１結合溝（１ａ）及び前記第２結合溝（１ｂ）は、円筒状胴体（１）の長手方向に形成されることを特徴とする、請求項３に記載の高周波熱治療用バイポーラ電極。
【発明の詳細な説明】
【技術分野】
【０００１】
本発明は、高周波熱治療用バイポーラ電極に関し、特に、下肢静脈瘤のような血管の病変部位への移動が容易でありながらも、施術時に病変部位以外の周辺組職の熱損傷の危険を減少させるように電極の熱を調節する高周波熱治療用バイポーラ電極に関する。
【背景技術】
【０００２】
一般に、身体器官（肝、甲状腺など）に癌組職などが発生すれば、外科的な手術方法と非手術的方法とで治療する。
【０００３】
最近は、外科的手術方法に比べて非手術的な方法を多く使う。すなわち、頸動脈化学塞栓術、経皮的エタノール注入法、全身的抗癌化学療法、局所的熱治療などが知られており、このうち局所的熱治療が一番効果的である。
【０００４】
局所的熱治療には高周波熱治療、マイクロウェーブ焼灼術、レーザー焼灼術などがあり、このうち高周波による熱治療が一番効果が高くて医師や患者が前記のような方式を多く要求していた。
【０００５】
それで、特許文献１のような電極による高周波で病変部位を加熱して癌組職などの病変部位を焼灼して死滅させるとか、下肢静脈瘤のような血管病変部位を加熱して静脈内壁を損傷させて血管の纎維化を引き起こすことによって脹れた血管を除去した。
【０００６】
しかし、医師や患者は下肢静脈瘤のような血管の病変部位に電極が容易に移動することができるとともに高周波の熱によって病変部位以外の周辺組職で発生する熱損傷の危険を減少させるより安全な電極を要求しているのが実情である。
【先行技術文献】
【特許文献】
【０００７】
【特許文献１】韓国公開特許第１０−２０１３−０１２８９２６号公報
【発明の概要】
【発明が解決しようとする課題】
【０００８】
したがって、本発明は、下肢静脈瘤のような血管の病変部位への移動時に血管の内壁にぶつかっても病変部位に容易に移動することができる電極を提供することに目的がある。
【０００９】
また、施術時に病変部位以外の周辺組職の熱損傷の危険を減少させるように高周波の発熱範囲を調節する電極を提供することに目的がある。
【課題を解決するための手段】
【００１０】
前述した目的を達成するために、本発明は、外周面に第１及び第２結合溝が所定の間隔で離隔して螺旋状に形成される円筒状胴体と、前記円筒状胴体の第１結合溝に嵌合されながら複数回巻き付けられて高周波発生器の一側端子に連結されるアクティブ電極体と、前記円筒状胴体の第２結合溝に嵌合されながら複数回巻き付けられて高周波発生器の他側端子に連結されるパッシブ電極体とを含んでなることを特徴とする高周波熱治療用バイポーラ電極を提供する。
【００１１】
また、本発明は、外周面に第１及び第２結合溝が所定の間隔で離隔して螺旋状に形成され、内部に冷却管から供給された冷却水が循環される冷却循環路が形成された円筒状胴体と、前記円筒状胴体の第１結合溝に嵌合されながら複数回巻き付けられて高周波発生器の一側端子に連結されるアクティブ電極体と、前記円筒状胴体の第２結合溝に嵌合されながら複数回巻き付けられて高周波発生器の他側端子に連結されるパッシブ電極体とを含んでなることを特徴とする高周波熱治療用バイポーラ電極を提供する。
【発明の効果】
【００１２】
本発明は、高周波熱が発生するアクティブ電極体とパッシブ電極体を円筒状胴体の外周面に形成された螺旋状の第１及び第２結合溝に嵌合するので、血管の内壁とぶつかってもアクティブ電極体とパッシブ電極体が第１及び第２結合溝から離脱しない効果がある。
【００１３】
また、本発明は、アクティブ電極体とパッシブ電極体が第１及び第２結合溝に嵌合された円筒状胴体の外周面が滑らかな状態になるので、病変部位への移動時、血管の内壁に引っかからない効果がある。
【００１４】
また、本発明は、第１及び第２結合溝を円筒状胴体外周面の長手方向に長く形成するので、アクティブ電極体とパッシブ電極体を第１及び第２結合溝に迅速に嵌合することができる効果がある。
【００１５】
また、本発明は、円筒状胴体の内部に冷却水が循環される冷却循環路を形成するので、アクティブ電極体とパッシブ電極体で発生する高周波の熱を冷やして電極の発熱範囲を調節することができる効果があるとともに病変部位以外の周辺組職の熱損傷の危険を減少させる効果がある。
【図面の簡単な説明】
【００１６】
【図１】本発明の第１及び第２実施例による高周波熱治療用バイポーラ電極を備えた装置を示す図である。
【図２】本発明の第１実施例による高周波熱治療用バイポーラ電極を示す図である。
【図３】本発明の第１実施例による高周波熱治療用バイポーラ電極を示す図である。
【図４】本発明の第２実施例による高周波熱治療用バイポーラ電極を示す図である。
【図５】本発明の第２実施例による高周波熱治療用バイポーラ電極を示す図である。
【図６】本発明の第３及び第４実施例による高周波熱治療用バイポーラ電極を備えた装置を示す図である。
【図７】本発明の第３実施例による高周波熱治療用バイポーラ電極を示す図である。
【図８】本発明の第３実施例による高周波熱治療用バイポーラ電極を示す図である。
【図９】本発明の第３実施例による高周波熱治療用バイポーラ電極を示す図である。
【図１０】本発明の第４実施例による高周波熱治療用バイポーラ電極を示す図である。
【図１１】本発明の第４実施例による高周波熱治療用バイポーラ電極を示す図である。
【図１２】本発明の第４実施例による高周波熱治療用バイポーラ電極を示す図である。
【発明を実施するための形態】
【００１７】
前記のような本発明の好適な実施例を添付図面に基づいて詳細に説明すれば次のようである。
【００１８】
図１に示したように、本発明の第１及び第２実施例による電極１０が適用される高周波熱治療用電極装置１００は、電極１０、取っ手２０、電極線３０、及び高周波発生器５０を含んでなる。
【００１９】
前記取っ手２０は施術者が電極１０を使おうとするときに把持する部分で、電極１０の後端に配置され、電極線３０は取っ手２０を介して電極１０と高周波発生器５０を電気的に連結し、高周波発生器５０は高周波交流を発生させる装置で、陽極と陰極端子に電極１０のアクティブ電極体２又はパッシブ電極体３を選択的に接続して電極１０に高周波交流を供給するようになっている。
【００２０】
そして、図２及び図３に示したように、本発明の第１実施例による前記電極１０は、外周面に第１及び第２結合溝１ａ、１ｂが所定の間隔で離隔して螺旋状に形成される円筒状胴体１と、前記円筒状胴体１の第１結合溝１ａに嵌合されながら複数回巻き付けられて高周波発生器５０の一側端子に連結されるアクティブ電極体２と、前記円筒状胴体１の第２結合溝１ｂに嵌合されながら複数回巻き付けられて高周波発生器５０の他側端子に連結されるパッシブ電極体３とからなる。
【００２１】
ここで、前記円筒状胴体１は静脈のような血管に容易に挿入できるように先端が丸状に形成され、カテーテルに適用される場合、移動ワイヤの端部に連結される。
【００２２】
ここで、前記円筒状胴体１は絶縁材でなる。
【００２３】
そして、前記電極１０の一側面で見られるように、第１及び第２結合溝１ａ、１ｂは断面平行四辺形の螺旋状に円筒状胴体１の外周面に沿って溝状に形成され、アクティブ電極体２とパッシブ電極体３は第１及び第２結合溝１ａ、１ｂに容易に嵌合できるように断面が平行四辺形になる。
【００２４】
よって、前記アクティブ電極体２とパッシブ電極体３は円筒状胴体１の外周面から突出しないように第１及び第２結合溝１ａ、１ｂに螺旋方向に傾いて巻き取られて嵌合されるものである。
【００２５】
すなわち、下肢静脈瘤のような血管病変部位に施術する時、前記静脈のような血管の内壁に電極１０が引っかかる現象を防止するとともに前記血管の内壁にぶつかってもアクティブ電極体２とパッシブ電極体３が第１及び第２結合溝１ａ、１ｂから離脱することを防止する。
【００２６】
また、前記アクティブ電極体２とパッシブ電極体３は高周波発生器５０で発生した高周波電流を電極１０から放射させる部分であり、前記アクティブ電極体２は電極線３０のアクティブライン３０ａを介して高周波発生器５０のアクティブ端子５１に連結され、パッシブ電極体３は電極線３０のパッシブライン３０ｂを介して高周波発生器５０のパッシブ端子５２に連結される。ここで、前記アクティブ端子５１又はパッシブ端子５２は便宜によって陽極となることも陰極となることもできる。
【００２７】
特に、前記アクティブ電極体２とパッシブ電極体３は相互間に所定の間隔を維持した状態で高周波エネルギーの放射時、前記アクティブ電極体２とパッシブ電極体３のピッチＰの中間地点を中心に発熱が始まる。発熱範囲は、図３に示したように、円筒状胴体１を取り囲む長方形の円筒状となる。
【００２８】
図４及び図５に示したように、本発明の第２実施例による電極１０は、外周面に第１及び第２結合溝１ａ、１ｂが所定間隔で離隔して長手方向に長く形成される円筒状胴体１と、前記円筒状胴体１の第１結合溝１ａに嵌合されて高周波発生器５０の一側端子に連結されるアクティブ電極体２と、前記円筒状胴体１の第２結合溝１ｂに嵌合されて高周波発生器５０の他側端子に連結されるパッシブ電極体３とからなる。
【００２９】
ここで、前記円筒状胴体１は静脈のような血管に容易に挿入できるように先端が丸状に形成され、カテーテルに適用される場合、移動ワイヤの端部に連結される。
【００３０】
ここで、前記円筒状胴体１は絶縁材でなる。
【００３１】
そして、前記電極１０の一側面で見られるように、第１及び第２結合溝１ａ、１ｂは円筒状胴体１の外周面の長手方向に長く形成された長方形の溝が形成された形状であり、アクティブ電極体２とパッシブ電極体３は円筒状胴体１の第１及び第２結合溝１ａ、１ｂに容易に嵌合できるように長方形に形成される。
【００３２】
ここで、前記電極１０の平面で見られるように、第１及び第２結合溝１ａ、１ｂは円筒状胴体１の外側方向に曲面状に溝が形成され、同様にアクティブ電極体２とパッシブ電極体３も外側方向に外側と内側が曲面状に形成される。
【００３３】
また、第１結合溝１ａは円筒状胴体１の外周面一側と向き合う他側に形成され、第２結合溝１ｂは第１結合溝１ａと直交する方向に一対が円筒状胴体１の外周面に形成される。
【００３４】
したがって、前記アクティブ電極体２とパッシブ電極体３は円筒状胴体１の外周面から突出しないように第１及び第２結合溝１ａ、１ｂに嵌合されるものである。
【００３５】
すなわち、前記下肢静脈瘤のような血管病変部位に施術する時、静脈のような血管の内壁に電極１０が引っかかる現象を防止するとともに前記血管の内壁にぶつかってもアクティブ電極体２とパッシブ電極体３が第１及び第２結合溝１ａ、１ｂから離脱することを防止する。
【００３６】
また、本発明の第２実施例による前記アクティブ電極体２とパッシブ電極体３は外側と内側が曲面状になった長方形に形成されるから、本発明の第１実施例による第１及び第２結合溝１ａ、１ｂに螺旋状に嵌合されるアクティブ電極体２とパッシブ電極体３に比べ、曲面を有する長方形の第１及び第２結合溝１ａ、１ｂに迅速に嵌合することができるものである。
【００３７】
ここで、前記アクティブ電極体２とパッシブ電極体３は、本発明の第１実施例と同様に、高周波発生器５０のアクティブ端子５１とパッシブ端子５２にそれぞれ連結される。ここで、前記アクティブ端子５１又はパッシブ端子５２は便宜によって陽極となることも陰極となることもできる。
【００３８】
そして、前記アクティブ電極体２とパッシブ電極体３は相互間に所定の間隔を維持した状態で高周波エネルギーの放射時、前記アクティブ電極体２とパッシブ電極体３のピッチＰの中間地点を中心に発熱が始まる。発熱範囲は、本発明の第１実施例と同様に、図５に示したように、円筒状胴体１を取り囲む長方形の円筒状となる。
【００３９】
図６に示したように、本発明の第３及び第４実施例による電極１０が適用される高周波熱治療用電極装置１００は、電極１０、取っ手２０、電極線３０、冷却管４０、及び高周波発生器５０を含んでなる。
【００４０】
前記取っ手２０は施術者が電極１０を使おうとする時に把持する部分で、電極１０の後端に配置され、電極線３０は取っ手２０を介して電極１０と高周波発生器５０を電気的に連結し、冷却管４０は冷却水を電極１０に供給及び回収して循環させるように取っ手２０に連結される。高周波発生器５０は高周波交流を発生させる装置で、陽極と陰極端子に電極１０のアクティブ電極体２又はパッシブ電極体３を選択的に接続して電極１０に高周波交流を供給するようになっている。
【００４１】
図７〜図９に示したように、本発明の第３実施例による前記電極１０は、外周面に第１及び第２結合溝１ａ、１ｂが所定の間隔で離隔して螺旋状に形成され、内部に冷却管４０から供給された冷却水が循環される冷却循環路１ｃが形成される円筒状胴体１と、前記円筒状胴体１の第１結合溝１ａに嵌合されながら複数回巻き付けられて高周波発生器５０の一側端子に連結されるアクティブ電極体２と、前記円筒状胴体１の第２結合溝１ｂに嵌合されながら複数回巻き付けられて高周波発生器５０の他側端子に連結されるパッシブ電極体３とからなる。
【００４２】
ここで、前記円筒状胴体１は静脈のような血管に容易に挿入できるように先端が丸状に形成され、カテーテルに適用される場合、移動ワイヤの端部に連結される。
【００４３】
そして、前記円筒状胴体１は絶縁材からなり、前記冷却循環路１ｃは、冷却管４０から供給された冷却水が流入する円筒状の流入路１ｃ’と、前記流入路１ｃ’の外側に形成され、流入路１ｃ’から流入した冷却水を冷却管４０に排出する円筒状の排出路１ｃ”とからなる。
【００４４】
ここで、前記排出路１ｃ”と流入路１ｃ’は円筒状胴体１の先端まで長く形成される。また、前記排出路１ｃ”は流入路１ｃ’より長く形成されるから、流入路１ｃ’に流入する冷却水は円筒状胴体１の先端から排出路１ｃ”を通して円筒状胴体１の後端に移動してから冷却管４０に再び回収されるものである。
【００４５】
一方、前記アクティブ電極体２、パッシブ電極体３、第１及び第２結合溝１ａ、１ｂは本発明の第１実施例によるアクティブ電極体２、パッシブ電極体３、第１及び第２結合溝１ａ、１ｂと同一の形状を有する。
【００４６】
したがって、前記アクティブ電極体２とパッシブ電極体３は円筒状胴体１の外周面から突出しないように第１及び第２結合溝１ａ、１ｂに螺旋方向に傾いて巻き取られて嵌合されるものである。
【００４７】
すなわち、前記下肢静脈瘤のような血管病変部位に施術する時、静脈のような血管の内壁に電極１０が引っかかる現象を防止するとともに前記血管の内壁にぶつかってもアクティブ電極体２とパッシブ電極体３が第１及び第２結合溝１ａ、１ｂから離脱することを防止する。
【００４８】
また、前記アクティブ電極体２とパッシブ電極体３は高周波発生器５０で発生した高周波電流を電極１０から放射させる部分である。前記アクティブ電極体２は電極線３０のアクティブライン３０ａを介して高周波発生器５０のアクティブ端子５１に連結され、パッシブ電極体３は電極線３０のパッシブライン３０ｂを介して高周波発生器５０のアクティブ端子５１とパッシブ端子５２にそれぞれ連結される。ここで、前記アクティブ端子５１又はパッシブ端子５２は便宜によって陽極となることも陰極となることもできる。
【００４９】
特に、前記アクティブ電極体２とパッシブ電極体３は相互間に所定の間隔を維持した状態で高周波エネルギーの放射時、前記アクティブ電極体２とパッシブ電極体３のピッチＰの中間地点を中心に発熱が始まる。発熱範囲は、図８に示したように、円筒状胴体１を取り囲む長方形の円筒状となる。
【００５０】
また、図９に示したように、前記冷却循環路１ｃに冷却水を循環させることで高周波エネルギーが放射される電極１０の熱を冷やすから、本発明の第１及び第２実施例に比べ、細密に電極１０の発熱範囲を調節することができるとともに下肢静脈瘤のような血管の病変部位ではない部分で発生する熱損傷の危険を減少させる。
【００５１】
図１０〜図１２に示したように、本発明の第４実施例による電極１０は、外周面に第１及び第２結合溝１ａ、１ｂが所定の間隔で離隔して長手方向に長く形成され、内部に冷却管４０から供給された冷却水が循環される冷却循環路１ｃが形成される円筒状胴体１と、前記円筒状胴体１の第１結合溝１ａに嵌合されて高周波発生器５０の一側端子に連結されるアクティブ電極体２と、前記円筒状胴体１の第２結合溝１ｂに嵌合されて高周波発生器５０の他側端子に連結されるパッシブ電極体３とからなる。
【００５２】
ここで、前記円筒状胴体１は静脈のような血管に容易に挿入できるように先端が丸状に形成され、カテーテルに適用される場合、移動ワイヤの端部に連結される。
【００５３】
そして、前記円筒状胴体１は絶縁材からなり、前記冷却循環路１ｃは、冷却管４０から供給された冷却水が流入する円筒状の流入路１ｃ’と、前記流入路１ｃ’の外側に形成され、流入路１ｃ’から流入した冷却水を冷却管４０から排出する円筒状の排出路１ｃ”とからなる。
【００５４】
ここで、前記排出路１ｃ”と流入路１ｃ’は円筒状胴体１の先端まで長く形成される。また、前記排出路１ｃ”は流入路１ｃ’より長く形成されるから、流入路１ｃ’に流入する冷却水は円筒状胴体１の先端から排出路１ｃ”を通して円筒状胴体１の後端に移動してから冷却管４０に再び回収されるものである。
【００５５】
一方、前記アクティブ電極体２、パッシブ電極体３、第１及び第２結合溝１ａ、１ｂは本発明の第２実施例によるアクティブ電極体２、パッシブ電極体３、第１及び第２結合溝１ａ、１ｂと同一の形状を有する。
【００５６】
したがって、前記アクティブ電極体２とパッシブ電極体３は円筒状胴体１の外周面から突出しないように第１及び第２結合溝１ａ、１ｂに嵌合されるものである。
【００５７】
すなわち、前記下肢静脈瘤のような血管病変部位に施術する時、静脈のような血管の内壁に電極１０が引っかかる現象を防止するとともに前記血管の内壁にぶつかってもアクティブ電極体２とパッシブ電極体３が第１及び第２結合溝１ａ、１ｂから離脱することを防止する。
【００５８】
また、本発明の第４実施例による前記アクティブ電極体２とパッシブ電極体３は外側と内側が曲面状を有する長方形に形成されるから、本発明の第３実施例による第１及び第２結合溝１ａ、１ｂに螺旋状に嵌合されるアクティブ電極体２とパッシブ電極体３に比べ、曲面を有する長方形の第１及び第２結合溝１ａ、１ｂに迅速に嵌合することができるものである。
【００５９】
ここで、前記アクティブ電極体２とパッシブ電極体３は、本発明の第３実施例と同様に、高周波発生器５０のアクティブ端子５１とパッシブ端子５２にそれぞれ連結される。ここで、前記アクティブ端子５１又はパッシブ端子５２は便宜によって陽極となることも陰極となることもできる。
【００６０】
そして、前記アクティブ電極体２とパッシブ電極体３は相互間に所定の間隔を維持した状態で高周波エネルギーの放射時、前記アクティブ電極体２とパッシブ電極体３のピッチＰの中間地点を中心に発熱が始まる。発熱範囲は、本発明の第３実施例と同様に、図１１に示したように、円筒状胴体１を取り囲む長方形の円筒状となる。
【００６１】
また、図１２に示したように、本発明の第３実施例と同様に、前記冷却循環路１ｃに冷却水を循環させることで高周波エネルギーが放射される電極１０の熱を冷やすから、本発明の第１及び第２実施例に比べ、細密に電極１０の発熱範囲を調節することができるとともに下肢静脈瘤のような血管の病変部位ではない部分で発生する熱損傷の危険を減少させる。
【００６２】
前記のように、本発明の前記高周波熱治療用バイポーラ電極１０の作用及び効果を説明すれば次のようである。
【００６３】
図１〜図３に示したように、本発明の第１実施例による前記電極１０は下肢静脈瘤のような血管病変部位の施術開始と同時に血管に挿入され、病変部位を捜して電極装置１００によって移動され、Ｘレイマーカーのような標識手段によって正確な目標位置、すなわち病変部位に配置される。
【００６４】
ここで、前記アクティブ電極体２とパッシブ電極体３は円筒状胴体１の外周面から突出しないように第１及び第２結合溝１ａ、１ｂに螺旋方向に傾いて巻き取られて円筒状胴体１の外周面が滑らかな程度に嵌合されているから、前記電極１０の移動時に静脈のような血管の内壁にぶつかっても電極１０が引っかかることなしに病変部位に移動することができるものである。
【００６５】
すなわち、前記電極１０は静脈のような血管の内壁に引っかからないため、引っかかりによる時間遅延なしに迅速に病変部位に位置することができるものである。
【００６６】
言い換えれば、前記アクティブ電極体２とパッシブ電極体３が静脈のような血管の内壁にぶつかっても円筒状胴体１から離脱する現象を防止することにより、施術時に離脱による前記電極１０の入替えが必要でないとともに前記離脱によるアクティブ電極体２とパッシブ電極体３の位置変更によって変形された高周波熱が発生することを防止するものである。
【００６７】
そして、前記電極１０の配置が確認されれば、高周波発生器５０が動作してアクティブ電極体２とパッシブ電極体３の間で高周波の交流電流が放射される。この時、アクティブ電極体２とパッシブ電極体３はピッチＰの間隔で隣り合う電極体と電極体の間ごとで高周波エネルギーが放射されて全体として円筒状の高周波エネルギー放射区域が形成される。
【００６８】
そして、前記高周波エネルギーの熱によって病変部位組職の温度を上昇させる。これにより、下肢静脈瘤のような血管病変部位を施術することができるようになる。
【００６９】
図１、図４及び図５に示したように、本発明の第２実施例による前記電極１０は、本発明の第１実施例と同様に、下肢静脈瘤のような血管病変部位に配置される。
【００７０】
ここで、前記アクティブ電極体２とパッシブ電極体３は、本発明の第１実施例によるアクティブ電極体２とパッシブ電極体３の形態を変化させることに比べ、第１及び第２結合溝１ａ、１ｂの形態変化なしに迅速に嵌合して円筒状胴体１の外周面から突出しないようにするため、前記電極１０の移動時に静脈のような血管の内壁にぶつかっても電極１０が引っかかることなしに病変部位に移動することができるものである。
【００７１】
すなわち、本発明の第２実施例による前記電極１０は、本発明の第１実施例と同様に、迅速に病変部位に位置するようになる。
【００７２】
言い換えれば、前記アクティブ電極体２とパッシブ電極体３が静脈のような血管の内壁にぶつかっても円筒状胴体１から離脱する現象を防止するとことにより、施術時に離脱による前記電極１０の入替えが不要であるとともに前記離脱によるアクティブ電極体２とパッシブ電極体３の位置変更によって変形された高周波熱が発生することを防止するものである。
【００７３】
そして、前記高周波エネルギーの熱によって病変部位組職の温度を上昇させ、これにより下肢静脈瘤のような血管病変部位を施術することができるようになる。
【００７４】
また、前記アクティブ電極体２とパッシブ電極体３が静脈のような血管の内壁にぶつかることによって円筒状胴体１から離脱しても、本発明の第１実施例に比べ、第１及び第２結合溝１ａ、１ｂに手軽く嵌合して施術作業を迅速に再開することができる。
【００７５】
図６〜図９に示したように、本発明の第３実施例による前記電極１０は下肢静脈瘤のような血管病変部位の施術開始と同時に血管に挿入されて病変部位を捜して電極装置１００によって移動して、Ｘレイマーカーのような標識手段によって正確な目標位置、すなわち病変部位に配置される。
【００７６】
ここで、前記電極１０は、他の実施例と同様に、静脈のような血管の内壁に引っかかることがないから、迅速に病変部位に位置して高周波エネルギーを病変部位に放射することができるようにするものである。
【００７７】
そして、前記電極１０の配置が確認されれば、高周波発生器５０が動作してアクティブ電極体２とパッシブ電極体３の間で高周波の交流電流が放射される。この時、アクティブ電極体２とパッシブ電極体３はピッチＰの間隔で隣り合う電極体と電極体の間ごとで高周波エネルギーが放射されて、全体として円筒状の高周波エネルギー放射区域が形成される。
【００７８】
そして、図９に示したように、前記冷却循環路１ｃに冷却水を循環させることで高周波エネルギーが放射される電極１０の熱を冷やすことによって電極１０の発熱範囲を調節する。
【００７９】
すなわち、前記電極１０の高周波エネルギー発熱範囲を調節することにより、病変部位を最小の厚さに、すなわち他の隣接組職の熱損傷の危険を本発明の第１及び第２実施例より減少させる効果があるものである。
【００８０】
また、冷却循環路１ｃを通じて循環される冷却水でアクティブ電極体２とパッシブ電極体３の熱を迅速に冷やすことができるから、下肢静脈瘤のような病変部位の施術作業の時間を減らすことができるとともに長時間の施術による患者の体力的な負担を減らすことができるものである。
【００８１】
また、前記冷却循環路１ｃを通じて循環される冷却水は流入路１ｃ’に流入して円筒状胴体１の先端から排出路１ｃ”を通して円筒状胴体１の後端に移動するから、冷却循環路１ｃで留まる時間が長くなる。
【００８２】
すなわち、前記電極１０の高周波エネルギーの発熱範囲を一定に維持させることができるのである。
【００８３】
また、前記冷却水供給の問題によって電極１０の高周波エネルギー発熱範囲が変わる時間を延ばすことができる効果があるとともに冷却水を再供給することができるように作業時間を伸ばす効果もあるものである。
【００８４】
図６、図１０〜図１２に示したように、本発明の第４実施例による前記電極１０は、本発明の第３実施例と同様に、下肢静脈瘤のような血管病変部位に配置される。
【００８５】
ここで、前記電極１０は、他の実施例と同様に、静脈のような血管の内壁に引っかからないから、迅速に病変部位に位置して高周波エネルギーを病変部位に放射することができるようにするものである。
【００８６】
そして、前記電極１０の配置が確認されれば、高周波発生器５０が動作してアクティブ電極体２とパッシブ電極体３の間で高周波の交流電流が放射される。ここで、アクティブ電極体２とパッシブ電極体３はピッチＰの間隔で隣り合う電極体と電極体の間ごとで高周波エネルギーが放射されて、全体として円筒状の高周波エネルギー放射区域が形成される。
【００８７】
ここで、図１２に示したように、前記冷却循環路１ｃに冷却水を循環させることで高周波エネルギーが放射される電極１０の熱を冷やすことによって電極１０の発熱範囲を調節する。
【００８８】
すなわち、前記電極１０の高周波エネルギー発熱範囲を調節することにより、病変部位を最小厚さに、すなわち他の隣接組職の熱損傷の危険を本発明の第１及び第２実施例に比べて減少させる効果があるものである。
【００８９】
言い換えれば、冷却循環路１ｃを通じて循環される冷却水でアクティブ電極体２とパッシブ電極体３の熱を迅速に冷やすことができるから、下肢静脈瘤のような病変部位の施術作業時間を減らすことができるとともに長時間の施術による患者の体力的な負担を減らすことができるものである。
【００９０】
また、前記アクティブ電極体２とパッシブ電極体３が静脈のような血管の内壁とぶつかることによって円筒状胴体１から離脱しても、本発明の第３実施例に比べ、第１及び第２結合溝１ａ、１ｂに手軽く嵌合して施術作業を迅速に再開することができる。
【００９１】
また、前記冷却循環路１ｃを通じて循環される冷却水は流入路１ｃ’に流入して円筒状胴体１の先端から排出路１ｃ”を通して円筒状胴体１の後端に移動するから、冷却循環路１ｃで留まる時間が長くなる。
【００９２】
すなわち、前記電極１０の高周波エネルギー発熱範囲を一定に維持させることができるものである。
【００９３】
また、前記冷却水供給の問題によって電極１０の高周波エネルギー発熱範囲が変わる時間を延ばすことができる効果があるとともに冷却水を再供給することができるように作業時間を伸ばす効果もあるものである。
【００９４】
以上では本発明を特定の好適な実施例に基づいて図示して説明したが、本発明は前述した実施に例限定されなく、本発明の精神を逸脱しない範疇内で当該発明が属する技術分野で通常の知識を有する者によって多様な変更及び修正が可能であろう。
【符号の説明】
【００９５】
１      円筒状胴体
１ａ    第１結合溝
１ｂ    第２結合溝
１ｃ    冷却循環路
２      アクティブ電極体
３      パッシブ電極体
１０    高周波熱治療用バイポーラ電極
２０    取っ手
３０    電極線
４０    冷却管
５０    高周波発生器
１００  高周波熱治療用バイポーラ電極装置
【図１】
2018527055.tif 000003
【図２】
2018527055.tif 000004
【図３】
2018527055.tif 000005
【図４】
2018527055.tif 000006
【図５】
2018527055.tif 000007
【図６】
2018527055.tif 000008
【図７】
2018527055.tif 000009
【図８】
2018527055.tif 000010
【図９】
2018527055.tif 000011
【図１０】
2018527055.tif 000012
【図１１】
2018527055.tif 000013
【図１２】
2018527055.tif 000014
【国際調査報告】
2018527055.tif 000015
2018527055.tif 000016
2018527055.tif 000017
2018527055.tif 000018